(57)【要約】【課題】空気の吸込口または吹出口を開閉するダンパの固着を防止でき、気密性を保持できるようにした風量調整装置を提供する。【解決手段】風量調整装置１Ａは、空気が通る吸込口２Ａが形成される風路形成枠部１１Ａと、軸３０を支点とした回転動作で開度が調整されるダンパ３と、吸込口２Ａを閉じる所定位置に移動したダンパ３と対向する風路形成枠部１１Ａの内面に設けられ、回転動作で変位するダンパ３の先端部３１の軌跡に沿った曲面で構成される気密性保持部２０を備える。【選択図】    図１
2011237104.tif 000002
【特許請求の範囲】
【請求項１】
空気が通る風路開口部を有した風路形成部材と、
前記風路開口部に設けられ、回転動作で開度が調整される風路調整部材と、
前記風路調整部材を駆動する駆動部と、
前記風路開口部を閉じる所定位置に移動した前記風路調整部材と対向する前記風路形成部材の内面に設けられ、回転動作で変位する前記風路調整部材の端部の軌跡に沿った曲面で構成される気密性保持部材と
を備えたことを特徴とする風量調整装置。
【請求項２】
前記気密性保持部材は、前記風路調整部材の端部が移動する方向に沿った面方向の長さが、前記風路調整部材の所定位置での変位量に合わせて設定される
ことを特徴とする請求項１記載の風量調整装置。
【請求項３】
前記風路形成部材は、前記風路開口部と独立した空間で構成される前記駆動部の実装部を備え、前記風路調整部材を閉位置に移動させる回転動作で、前記風路調整部材の軸に取り付けられた駆動部材の突き当て部が突き当てられる位置規制部材を前記実装部に備え、
前記気密性保持部材は、前記風路調整部材の端部が移動する方向に沿った面方向の長さが、前記突き当て部が前記位置規制部材に突き当てられて閉位置に移動させた前記風路調整部材の変位量に合わせて設定される
ことを特徴とする請求項１記載の風量調整装置。
【請求項４】
前記風路形成部材と前記風路調整部材は、空気中の成分の付着が抑制され、かつ、付着した成分の剥離が促進される材質で構成される
ことを特徴とする請求項１、２または３記載の風量調整装置。
【請求項５】
空気の吸い込みまたは吹き出しを行う送風手段と、
前記送風手段で吸い込まれる空気または前記送風手段から吹き出す空気が通る風路開口部を有した風量調整装置とを備え、
前記風量調整装置は、前記風路開口部を有した風路形成部材と、
前記風路開口部に設けられ、回転動作で開度が調整される風路調整部材と、
前記風路調整部材を駆動する駆動部と、
前記風路開口部を閉じる所定位置に移動した前記風路調整部材と対向する前記風路形成部材の内面に設けられ、回転動作で変位する前記風路調整部材の端部の軌跡に沿った曲面で構成される気密性保持部材と
を備えたことを特徴とする換気装置。
【発明の詳細な説明】
【技術分野】
【０００１】
本発明は、空気の吸込口または吹出口に設置される風量調整装置及びこの風量調整装置を備えた換気装置に関する。
【背景技術】
【０００２】
従来より、浴室等から空気を吸い込み、屋外へ排出する換気機能と、浴室等から空気を吸い込み、温風等を吹き出して暖房等を行う機能を備えた浴室用の換気装置が提案されている。
【０００３】
このような浴室用の換気装置は、浴室の天井に設置され、空気の吸込口や吹出口は浴室に面して配置される。そして、換気を行わない暖房時等に、浴室内の空気が漏れないようにするため、また、換気風量を調整するため、換気用のファンへの空気の吸込口に開閉可能なダンパを備えていた（例えば、特許文献１参照）。
【０００４】
また、ダンパの位置を規制するストッパに埃等が堆積することを防ぐため、ストッパを風路外に設ける技術が提案されている（例えば、特許文献２参照）。
【先行技術文献】
【特許文献】
【０００５】
【特許文献１】特開２００４−１２５３７３号公報
【特許文献２】特許第３４２９９７５号公報
【発明の概要】
【発明が解決しようとする課題】
【０００６】
浴室用の換気装置は、浴室の空気を吸い込むため、空気中の各種成分が吸込口等に付着する場合がある。このため、空気中の成分に粘着性があるような場合、閉位置にあるダンパが固着し、吸込口を開閉できなくなるという問題がある。
【０００７】
また、ダンパのストッパを風路外に設ける構成では、ダンパの軸とストッパの公差等により、ダンパの位置が変位する場合があり、所定の気密性を保てないという問題がある。
【０００８】
本発明は、このような課題を解決するためになされたもので、空気の吸込口または吹出口を開閉する風路調整部材の固着を防止でき、気密性を保持できるようにした風量調整装置及びこの風量調整装置を備えた換気装置を提供することを目的とする。
【課題を解決するための手段】
【０００９】
上述した課題を解決するため、本発明は、空気が通る風路開口部を有した風路形成部材と、風路開口部に設けられ、回転動作で開度が調整される風路調整部材と、風路調整部材を駆動する駆動部と、風路開口部を閉じる所定位置に移動した風路調整部材と対向する風路形成部材の内面に設けられ、回転動作で変位する風路調整部材の端部の軌跡に沿った曲面で構成される気密性保持部材とを備えた風量調整装置である。
【００１０】
また、本発明は、空気の吸い込みまたは吹き出しを行う送風手段と、送風手段で吸い込まれる空気または送風手段から吹き出す空気が通る風路開口部を有した風量調整装置とを備え、風量調整装置は、風路開口部を有した風路形成部材と、風路開口部に設けられ、回転動作で開度が調整される風路調整部材と、風路調整部材を駆動する駆動部と、風路開口部を閉じる所定位置に移動した風路調整部材と対向する風路形成部材の内面に設けられ、回転動作で変位する風路調整部材の端部の軌跡に沿った曲面で構成される気密性保持部材とを備えた換気装置である。
【００１１】
本発明では、風路開口部を閉じる所定位置での風路調整部材の回転方向の位置が、公差等により変位しても、風路調整部材の端部と風路形成部材との隙間が、所定の許容隙間で保持される。
【００１２】
これにより、風路開口部を閉じる所定位置に風路調整部材を移動させた状態で、風路調整部材が突き当てられて閉位置を規制する部材を風路開口部に備えることなく、風路開口部を閉じる所定位置に風路調整部材を移動させた状態で、風路開口部を通る空気の量が所定の許容風量に抑えられる。
【発明の効果】
【００１３】
本発明によれば、風路開口部を閉じる所定位置に風路調整部材を移動させた状態で、風路開口部を通る空気の量が所定の許容風量に抑えられるので、風路開口部を閉じる所定位置に移動させた風路調整部材と、風路開口部との間の気密性を所定の状態で保持することができる。
【図面の簡単な説明】
【００１４】
【図１】本実施の形態の風量調整装置の一例を示す側断面図である。
【図２】本実施の形態の風量調整装置の一例を示す側面図である。
【図３】本実施の形態の風量調整装置の一例を示す平面図である。
【図４】本実施の形態の変形例の風量調整装置の一例を示す側断面図
【図５】本実施の形態の変形例の風量調整装置の一例を示す平面図である。
【図６】本実施の形態の換気装置の一例を示す構成図である。
【図７】本実施の換気装置の設置例を示す構成図である。
【発明を実施するための形態】
【００１５】
以下、図面を参照して、本発明の風量調整装置及び換気装置の実施の形態について説明する。
【００１６】
＜本実施の形態の風量調整装置の構成例＞
図１は、本実施の形態の風量調整装置の一例を示す側断面図、図２は、本実施の形態の風量調整装置の一例を示す側面図、図３は、本実施の形態の風量調整装置の一例を示す平面図である。
【００１７】
本実施の形態の風量調整装置１Ａは、空気が通る吸込口２Ａと、吸込口２Ａを開閉するダンパ３と、ダンパ３を駆動するダンパ駆動部４Ａを備える。吸込口２Ａは風路開口部の一例で、ダンパフレーム１０Ａに所定の形状の開口を形成して構成される。
【００１８】
ダンパフレーム１０Ａは、吸込口２Ａが形成される風路形成枠部１１Ａと、ダンパ駆動部４が実装される実装部１２Ａを備える。ダンパフレーム１０Ａは、所定の樹脂材料で一体に成型された部品、または、所定の樹脂材料で成型された部品の組み合わせで構成される。
【００１９】
風路形成枠部１１Ａは、空気が通る方向に沿って所定の高さを有し、風路形成枠部１１Ａに囲まれた空間で吸込口２Ａが形成される。実装部１２Ａは、風路形成枠部１１Ａの対向する第１の側面部１３の一方の外側に、吸込口２Ａと独立した空間を設けて構成される。
【００２０】
ダンパ３は風路調整部材の一例で、吸込口２Ａの形状に合わせた平板状の部品で構成される。ダンパ３は、所定の樹脂材料で一体に成型された部品、または、所定の樹脂材料で成型された部品の組み合わせで構成される。
【００２１】
ダンパ３は、吸込口２Ａを開閉する動作の支点となる軸３０を備える。ダンパ３は、ダンパフレーム１０の対向する第１の側面部１３に形成された軸受部１４に軸３０が支持され、軸３０を支点とした回転動作で吸込口２Ａを開閉する。
【００２２】
ダンパ駆動部４Ａは、モータ４０と、モータ４０の駆動軸に取り付けられた駆動ギア４１と、ダンパ３の軸３０に取り付けられたダンパギア４２を備える。モータ４０は、例えばステッピングモータで構成され、ダンパフレーム１０Ａの実装部１２Ａに取り付けられる。
【００２３】
ダンパギア４２は、実装部１２Ａに突出したダンパ３の一方の軸３０に取り付けられ、駆動ギア４１とかみ合う。ダンパギア４２は、ダンパ３の回転動作角度に応じた半円形状等の円弧の一部で構成され、占有面積の小型化が図られる。
【００２４】
モータ４０が回転すると、モータ４０の駆動力がダンパギア４２に伝達され、ダンパ３が軸３０を支点に回転する。これにより、ダンパ３で吸込口２Ａを閉じる閉位置から、吸込口２Ａを開く開位置まで、ダンパ３の回転動作で吸込口２Ａが開閉される。
【００２５】
風量調整装置１Ａは、ダンパギア４２に形成された突き当て部４３が突き当てられる突き当て突部１５を実装部１２Ａに備える。突き当て突部１５は位置規制部の一例で、吸込口２Ａを閉じる閉位置までダンパ３を回転させると、ダンパギア４２の突き当て部４３が突き当てられる位置に形成される。これにより、閉位置まで回転させたダンパ３の位置が規制される。なお、吸込口２Ａを所定の全開とする全開位置までダンパ３を回転させると、ダンパギア４２の他の突き当て部が突き当てられる位置にも突き当て突部を設けても良い。
【００２６】
風量調整装置１Ａは、吸込口２Ａを閉じる閉位置に移動したダンパ３の先端部３１と対向する風路形成枠部１１Ａの内面に気密性保持部２０を備える。気密性保持部２０は気密性保持部材の一例で、軸３０を支点とした回転動作で変位するダンパ３の先端部３１の軌跡Ａに沿った曲面で構成される。
【００２７】
従来、回転動作で吸込口等を開閉するダンパを備えた風量調整装置では、ダンパが突き当てられるストッパを吸込口に設けていた。このような構成では、ダンパを閉位置としたときに、ダンパがストッパに突き当てられることで気密性が保たれる。一方、吸込口を通る空気に含まれる粘着性のある成分がダンパや吸込口に付着すると、ダンパとストッパとの接触箇所でダンパが固着して、動作不能になる場合がある。
【００２８】
そこで、吸込口２Ａとは独立した空間である実装部１２Ａに設けたダンパギア４２の突き当て部４３と突き当て突部１５を当接させる構成とする。これにより、空気が通る吸込口２Ａの内部で、ダンパ３と吸込口２Ａの接触箇所が無くなり、ダンパ３の固着を防止できる。
【００２９】
一方、吸込口２Ａに対して軸３０を支点とした回転動作でダンパ３が回転できるようにするため、ダンパ３の周囲と風路形成枠部１１Ａとの間には、所定の隙間が必要である。
【００３０】
そこで、風量調整装置１Ａでは、ダンパ３を閉位置に移動させた状態で、吸込口２Ａを通る空気の許容風量が設定され、ダンパ３を閉位置に移動させた状態で、吸込口２Ａを通る空気の許容風量となるように、ダンパ３と風路形成枠部１１Ａとの間に許容隙間が設定されている。
【００３１】
上述したように、ダンパ３の軸３０に取り付けられたダンパギア４２の突き当て部４３を、実装部１２Ａに設けた突き当て突部１５に突き当てる構成では、駆動ギア４１とダンパギア４２とのバックラッシュ、ダンパギア４２と軸３０の接合部分の公差、軸３０とダンパ３との接合部分の公差等により、閉位置で停止させたダンパ３の回転方向の位置が変位する場合がある。
【００３２】
軸３０を支点としたダンパ３の回転動作で、ダンパ３の先端部３１の軌跡Ａは円となる。このため、閉位置に移動したダンパ３の先端部３１と対向する部位の風路形成枠部１１Ａが平面であると、閉位置で停止させたダンパ３の回転方向の位置が変位した場合、ダンパ３の先端部３１と風路形成枠部１１Ａとの隙間が変動する。
【００３３】
ダンパ３を閉位置に移動させた状態で、ダンパ３の先端部３１と風路形成枠部１１Ａとの間の隙間が変動し、所定の許容隙間を超えると、吸込口２Ａを通る空気の量が変動し、許容風量を超える場合がある。
【００３４】
これに対し、風路形成枠部１１Ａの内面に、ダンパ３の先端部３１の軌跡Ａに沿った曲面で構成される気密性保持部２０を備える。本例では、ダンパ３の先端部３１の軌跡Ａが円を描くので、気密性保持部２０は、軸３０を中心とした円弧形状とする。これにより、閉位置でダンパ３の回転方向の位置が変位した場合でも、気密性保持部２０が形成された範囲では、ダンパ３の先端部３１と風路形成枠部１１Ａとの隙間が、所定の許容隙間に収まるように略一定に保たれる。
【００３５】
そこで、気密性保持部２０は、ダンパ３の先端部３１が移動する方向に沿った面方向の長さが、公差等によるダンパ３の閉位置での変位量を考慮して設定されている。例えば気密性保持部２０の面方向の長さは、閉位置での公差等によるダンパ３の先端部３１の変位量と同等程度の長さに設定されている。
【００３６】
これにより、公差等により閉位置でのダンパ３の回転方向の位置が変位しても、気密性保持部２０の形成された範囲内で、ダンパ３の先端部３１が停止する。従って、ダンパ３を閉位置に移動させた状態では、ダンパ３の先端部３１と風路形成枠部１１Ａとの隙間が、所定の許容隙間に収まり、吸込口２Ａを通る空気の量が所定の許容風量に抑えられ、閉位置に移動させたダンパ３と、吸込口２Ａとの間の気密性が所定の状態で保持される。
【００３７】
なお、ダンパ３が四角形、または、ダンパ３の側端部が軸３０に対して垂直であれば、軸３０を支点としたダンパ３の回転動作で、ダンパ３の側端部と風路形成枠部１１Ａとの隙間は変動しない。一方、ダンパ３の形状が例えば台形等で、ダンパ３の側端部が軸３０に対して傾斜している場合、ダンパ３の回転動作で、ダンパ３の側端部と風路形成枠部１１Ａとの隙間が変動する。
【００３８】
但し、ダンパ３の側端部と風路形成枠部１１Ａとの隙間の変動量は少ないので、気密性保持部２０を設けて、ダンパ３の先端部３１と風路形成枠部１１Ａとの隙間が所定の許容隙間に収まるように設定することで、吸込口２Ａを通る空気の全体の量を所定の許容風量に抑えられ、所定の気密性を保持することができる。
【００３９】
本実施の形態の風量調整装置１Ａでは、吸込口２Ａとは独立した空間である実装部１２Ａに設けたダンパギア４２の突き当て部４３と突き当て突部１５を当接させる構成とすることで、ダンパ３の固着を防止する構成である。また、閉位置でのダンパ３の変位を考慮して、気密性保持部２０を設けることで、所定の気密性を保持する構成である。
【００４０】
更に、ダンパフレーム１０とダンパ３を、粘着性のある成分の固着が発生しにくく、剥がれやすい材質で構成する。例えば、ダンパフレーム１０Ａとダンパ３をＰＰ（ポリプロピレン）で構成する。または、ダンパフレーム１０Ａとダンパ３の一方をＰＰで構成し、他方をＡＢＳで構成する。このような材質でダンパフレーム１０Ａとダンパ３を構成することで、ダンパ３の固着をより確実に防止できる。
【００４１】
＜本実施の形態の風量調整装置の変形例＞
図４は、本実施の形態の変形例の風量調整装置の一例を示す側断面図、図５は、本実施の形態の変形例の風量調整装置の一例を示す平面図である。
【００４２】
本実施の形態の変形例の風量調整装置１Ｂは、空気が通る吸込口２Ｂと、吸込口２Ｂを開閉する第１のダンパ３Ａ及び第２のダンパ３Ｂと、第１のダンパ３Ａ及び第２のダンパ３Ｂを駆動するダンパ駆動部４Ｂを備える。吸込口２Ｂは風路開口部の一例で、ダンパフレーム１０Ｂに所定の形状の開口を形成して構成される。
【００４３】
ダンパフレーム１０Ｂは、吸込口２Ｂが形成される風路形成枠部１１Ｂと、ダンパ駆動部４Ｂが実装される実装部１２Ｂを備える。ダンパフレーム１０Ｂは、所定の樹脂材料で一体に成型された部品、または、所定の樹脂材料で成型された部品の組み合わせで構成される。ダンパフレーム１０Ｂは、粘着性のある成分の固着が発生しにくく、剥がれやすい材質である例えばＰＰ（ポリプロピレン）で構成される。
【００４４】
風路形成枠部１１Ｂは、空気が通る方向に沿って所定の高さを有し、風路形成枠部１１Ｂに囲まれた空間で吸込口２Ｂが形成される。実装部１２Ｂは、風路形成枠部１１Ｂの側面部の外側に、吸込口２Ｂと独立した空間を設けて構成される。
【００４５】
第１のダンパ３Ａ及び第２のダンパ３Ｂは風路調整部材の一例で、２枚のダンパで吸込口２Ｂの形状に合わせた平板状の部品で構成される。第１のダンパ３Ａ及び第２のダンパ３Ｂは、所定の樹脂材料で一体に成型された部品、または、所定の樹脂材料で成型された部品の組み合わせで構成される。
【００４６】
第１のダンパ３Ａ及び第２のダンパ３Ｂは、粘着性のある成分の固着が発生しにくく、剥がれやすい材質である例えばＰＰ（ポリプロピレン）で構成される。なお、ダンパフレーム１０Ｂと、第１のダンパ３Ａ及び第２のダンパ３Ｂのどちらか一方は、ＡＢＳで構成しても良く、ダンパフレームとダンパの材質の組み合わせを、ＰＰとＰＰ、またはＰＰとＡＢＳにできれば良い。
【００４７】
第１のダンパ３Ａは、吸込口２Ｂを開閉する動作の支点となる軸３０Ａを備える。第１のダンパ３Ａは、ダンパフレーム１０Ｂの対向する側面部に形成された軸受部に軸３０Ａが支持され、軸３０Ａを支点とした回転動作で吸込口２Ｂを開閉する。
【００４８】
第２のダンパ３Ｂは、吸込口２Ｂを開閉する動作の支点となる軸３０Ｂを備える。第２のダンパ３Ｂは、ダンパフレーム１０Ｂの対向する側面部に形成された軸受部に軸３０Ｂが支持され、軸３０Ｂを支点とした回転動作で吸込口２Ｂを開閉する。
【００４９】
ダンパ駆動部４Ｂは、モータ４０と、モータ４０の駆動軸に取り付けられた駆動ギア４１と、第１のダンパ３Ａの軸３０Ａに取り付けられた第１のダンパギア４２Ａと、第２のダンパ３Ｂの軸３０Ｂに取り付けられた第２のダンパギア４２Ｂを備える。モータ４０は、例えばステッピングモータで構成され、ダンパフレーム１０Ｂの実装部１２Ｂに取り付けられる。
【００５０】
第１のダンパギア４２Ａは、実装部１２Ｂに突出した第１のダンパ３Ａの一方の軸３０Ａに取り付けられ、駆動ギア４１とかみ合う。第１のダンパギア４２Ａは、第１のダンパ３Ａの回転動作角度に応じた半円形状等の円弧の一部で構成され、占有面積の小型化が図られる。
【００５１】
第２のダンパギア４２Ｂは、実装部１２Ｂに突出した第２のダンパ３Ｂの一方の軸３０Ｂに取り付けられ、第１のダンパギア４２Ａとかみ合う。第２のダンパギア４２Ｂは、第２のダンパ３Ｂの回転動作角度に応じた半円形状等の円弧の一部で構成され、占有面積の小型化が図られる。
【００５２】
モータ４０が回転すると、モータ４０の駆動力が第１のダンパギア４２Ａに伝達され、第１のダンパ３Ａが軸３０Ａを支点に回転する。また、第１のダンパギア４２Ａが回転することで、モータ４０の駆動力が第１のダンパギア４２Ａを介して第２のダンパギア４２Ｂに伝達され、第２のダンパ３Ｂが軸３０Ｂを支点に回転する。
【００５３】
これにより、第１のダンパ３Ａ及び第２のダンパ３Ｂで吸込口２Ｂを閉じる閉位置から、吸込口２Ｂを開く開位置まで、第１のダンパ３Ａ及び第２のダンパ３Ｂの連動した回転動作で吸込口２Ｂが開閉される。
【００５４】
風量調整装置１Ｂは、第１のダンパギア４２Ａに形成された突き当て部４３が突き当てられる突き当て突部１５を実装部１２Ｂに備える。突き当て突部１５は位置規制部の一例で、吸込口２Ｂを閉じる閉位置まで第１のダンパ３Ａ及び第２のダンパ３Ｂを回転させると、第１のダンパギア４２Ａの突き当て部４３が突き当てられる位置に形成される。これにより、閉位置まで回転させた第１のダンパ３Ａ及び第２のダンパ３Ｂの位置が規制される。
【００５５】
風量調整装置１Ｂは、吸込口２Ｂを閉じる閉位置に移動した第１のダンパ３Ａの一方の先端部３１Ａと対向する風路形成枠部１１Ｂの内面及び閉位置に移動した第２のダンパ３Ｂの一方の先端部３１Ｂと対向する風路形成枠部１１Ｂの内面に気密性保持部２０を備える。気密性保持部２０は気密性保持部材の一例で、軸３０Ａを支点とした回転動作で変位する第１のダンパ３Ａの先端部３１Ａの軌跡Ａ、及び軸３０Ｂを支点とした回転動作で変位する第２のダンパ３Ｂの先端部３１Ｂの軌跡Ｂに沿った曲面で構成される。
【００５６】
上述したように、第１のダンパ３Ａの軸３０Ａに取り付けられた第１のダンパギア４２Ａの突き当て部４３を、実装部１２Ｂに設けた突き当て突部１５に突き当てる構成では、各ギアのバックラッシュ、各ダンパギアと軸の接合部分の公差、軸とダンパとの接合部分の公差等により、閉位置で停止させた第１のダンパ３Ａ及び第２のダンパ３Ｂの回転方向の位置が変位する場合がある。
【００５７】
そこで、風路形成枠部１１Ｂの内面に、第１のダンパ３Ａの先端部３１Ａの軌跡、及び第２のダンパ３Ｂの先端部３１Ｂの軌跡に沿った曲面で構成される気密性保持部２０を備える。これにより、閉位置で第１のダンパ３Ａ及び第２のダンパ３Ｂの回転方向の位置が変位した場合でも、気密性保持部２０が形成された範囲では、第１のダンパ３Ａの先端部３１Ａと風路形成枠部１１Ｂとの隙間、及び、第２のダンパ３Ｂの先端部３１Ｂと風路形成枠部１１Ｂとの隙間が、所定の許容隙間に収まるように略一定に保たれる。
【００５８】
なお、第１のダンパ３Ａの他方の先端部と、第２のダンパ３Ｂの他方の先端部が対向する部分では、各ダンパの回転動作で、ダンパ同士の隙間が変動する。  但し、各ダンパの一方の先端部と風路形成枠部１１Ｂとの隙間における風量を調整するため、気密性保持部２０を設けて、各ダンパの一方の先端部と風路形成枠部１１Ｂとの隙間が所定の許容隙間に収まるように設定することで、吸込口２Ｂを通る空気の全体の量を所定の許容風量に抑えられ、所定の気密性を保持することができる。
【００５９】
＜本実施の形態の換気装置の構成例＞
図６は、本実施の形態の換気装置の一例を示す構成図、図７は、本実施の換気装置の設置例を示す構成図で、次に、換気装置の一例として、浴室換気乾燥暖房装置について説明する。
【００６０】
換気装置５は、本例では浴室１００に設置される浴室換気乾燥暖房装置であり、空気を吸い込んで循環させる循環ファン５１と、空気を吸い込んで排気する換気ファン５２を備える。循環ファン５１は送風手段の一例で、回転軸の向きを鉛直方向として循環ファンモータ５１Ｍに取り付けられ、循環ファン５１の接線方向に沿った風路を形成する循環ファンケース５１ａ内に配置される。
【００６１】
本体部５０の下面には、循環ファン５１の軸方向に沿った循環ファンケース５１ａの下面に循環ファン吸込口５１ｂが形成され、循環ファン５１の接線方向に沿った風路とつながる循環ファン吹出口５１ｃが形成される。
【００６２】
循環ファンモータ５１Ｍにより循環ファン５１が回転駆動されると、循環ファン吸込口５１ｂから空気が吸い込まれ、循環ファン吸込口５１ｂから吸い込まれた空気が、循環ファン吹出口５１ｃから吹き出される。
【００６３】
換気装置５は、ヒータ５０Ｈを備える。ヒータ５０Ｈは加熱手段の一例で、例えばＰＴＣヒータが用いられ、循環ファン吹出口５１ｃの近傍に取り付けられる。これにより、循環ファン５１を回転駆動すると共にヒータ５０Ｈに通電すると、循環ファン吹出口５１ｃから温風が吹き出す。
【００６４】
換気ファン５２は送風手段の一例で、回転軸の向きを鉛直方向として換気ファンモータ５２Ｍに取り付けられ、換気ファン５２の接線方向に沿った風路を形成する換気ファンケース５２ａ内に配置される。
【００６５】
換気ファンケース５２ａの上面には、換気ファン５２の軸方向に沿った上側に換気ファン吸込口５２ｂが形成され、換気ファンケース５２ａの側面には、換気ファン５２の接線方向に沿った風路とつながる換気ファン吹出口５２ｃが形成される。
【００６６】
換気ファンモータ５２Ｍにより換気ファン５２が回転駆動されると、換気ファン吸込口５２ｂから空気が吸い込まれ、換気ファン吸込口５２ｂから吸い込まれた空気が、換気ファン吹出口５２ｃから吹き出される。
【００６７】
換気装置５の本体部５０は、循環ファンケース５１ａと換気ファンケース５２ａが収容される本体ケース５３を備える。本体ケース５３は、例えば鉄等の金属で構成され、循環ファンケース５１ａの上側に換気ファンケース５２ａが重なる形態で取り付けられる。
【００６８】
換気装置５は、本体ケース５３の一の側面に、換気ファン吹出口５２ｃとつながる排気口５３ＥＡが形成され、排気口５３ＥＡに排気ダクトジョイント５４ＥＡが取り付けられる。
【００６９】
また、換気装置５は、本体ケース５３の他の側面に、本体ケース５３の内側で循環ファンケース５１ａ及び換気ファンケース５２ａの上側に形成される風路により換気ファン吸込口５２ｂと繋がる１個または２個の副吸込口５３ＢＡが形成され、副吸込口５３ＢＡに副吸込ダクトジョイント５４ＢＡが取り付けられる。
【００７０】
換気装置５は、換気ファンケース５２ａの側部に形成された風路により、換気ファン吸込口５２ｂとつながる換気吸込口５５ＥＡが、本体部５０の下面に形成され、換気吸込口５５ＥＡに、上述した風量調整装置１Ａまたは風量調整装置１Ｂを備える。
【００７１】
例えば、図１等で説明した風量調整装置１Ａを備えた構成では、ダンパ３を閉位置に移動させて換気吸込口５５ＥＡを閉じると、図７に示す浴室１００からの空気の吸い込みが停止される。また、ダンパ３の開度を調整することで、浴室１００から吸い込まれる空気の量が調整される。また、図４等で説明した風量調整装置１Ｂを備えた構成では、第１のダンパ３Ａと第２のダンパ３Ｂが設けられることで、換気吸込口５５ＥＡの開口面積が拡大され、換気風量を増加させることができる。
【００７２】
換気装置５は、本体部５０の下面にフロントパネル５６が着脱可能に取り付けられる。フロントパネル５６は、循環ファン吸込口５１ｂ及び換気吸込口５５ＥＡと対向して吸込口グリル５６ａが形成され、循環ファン吹出口５１ｃと対向して吹出口グリル５６ｂが形成される。
【００７３】
換気装置５は、図７に示すように、本体部５０に取り付けられたフロントパネル５６が、浴室１００の天井パネル１０１に露出する形態で、本体部５０が天井パネル１０１に設置される。
【００７４】
また、換気装置５は、排気ダクトジョイント５４ＥＡに排気ダクト５７ＥＡが接続される。更に、換気装置５は、副吸込ダクトジョイント５４ＢＡに副吸込ダクト５７ＢＡが接続される。
【００７５】
換気装置５は、図示しない建物の外壁に、排気ダクト５７ＥＡに接続される屋外グリル５８ＥＡが設置される。また、換気装置５は、浴室１００に隣接した洗面脱衣室１１０に、副吸込ダクト５７ＢＡに接続される副吸込グリル５８ＢＡが設置される。なお、トイレ等の図示しない他室に、副吸込ダクトに接続される副吸込グリルが設置されていても良い。
【００７６】
＜本実施の形態の換気装置の動作例＞
換気装置５は、フロントパネル５６から本体部５０に空気を吸い込み、吸い込んだ空気をフロントパネル５６から吹き出す機能、フロントパネル５６から吹き出す空気を加熱する機能、及び、フロントパネル５６及び副吸込グリル５８ＢＡから副吸込ダクト５７ＢＡを通して本体部５０に吸い込んだ空気を、排気ダクト５７ＥＡへ吹き出す機能を有する。
【００７７】
これにより、換気装置５は、浴室１００の空気をフロントパネル５６から本体部５０に吸い込み、ヒータ５０Ｈに通電して加熱した空気をフロントパネル５６から浴室１００に吹き出すことで、浴室１００に温風を吹き出す暖房モードが実行される。
【００７８】
また、換気装置５は、フロントパネル５６から本体部５０に吸い込んだ浴室１００の空気、及び、副吸込グリル５８ＢＡから副吸込ダクト５７ＢＡを通して本体部５０に吸い込んだ他室の空気を、排気ダクト５７ＥＡを通して屋外グリル５８ＥＡから屋外に排気することで、浴室１００等の空気を排気する換気モードが実行される。
【００７９】
更に、換気装置５は、浴室１００内の空気を循環させながら、ヒータ５０Ｈに通電して温風を吹き出す動作と、浴室１００内の空気を排気する動作を行うことで、衣類や浴室１００等を乾燥させる乾燥モードが実行される。また、ヒータ５０Ｈに通電せずに浴室１００内の空気を循環させながら浴室１００内の空気を排気する動作を行うことで、夏場の入浴時等を涼しくする涼風モードが実行される。
【００８０】
暖房モードでは、ヒータ５０Ｈに通電すると共に、循環ファンモータ５１Ｍを駆動する。また、風量調整装置１Ａを備えた構成では、図１等で説明したダンパ３を閉位置に移動させて換気吸込口５５ＥＡを閉じて、換気ファンモータ５２Ｍを駆動する。
【００８１】
これにより、フロントパネル５６の吸込口グリル５６ａから、浴室１００の空気が循環ファン５１で吸い込まれ、循環ファン５１で吸い込まれた空気がヒータ５０Ｈで加熱されて、フロントパネル５６の吹出口グリル５６ｂから、浴室１００に温風が吹き出される。
【００８２】
また、洗面脱衣室１１０に設置した副吸込グリル５８ＢＡから、副吸込ダクト５７ＢＡを通して他室の空気が換気ファン５２で吸い込まれ、排気ダクト５７ＥＡを通して屋外グリル５８ＥＡから屋外に排気される。暖房モードでは、換気吸込口５５ＥＡをダンパ２６３で閉じていることで、フロントパネル５６の吸込口グリル５６ａから、換気ファン５２で浴室１００の空気は吸い込まれず、暖められた浴室１００内の空気が排気されないようにしている。
【００８３】
換気モードでは、ダンパ３を開位置に移動させて換気吸込口５５ＥＡを開き、換気ファンモータ５２Ｍを駆動する。循環ファンモータ５１Ｍは駆動しない。これにより、フロントパネル５６の吸込口グリル５６ａから、浴室１００の空気が換気ファン５２で吸い込まれ、排気ダクト５７ＥＡを通して屋外グリル５８ＥＡから屋外に排気される。また、副吸込グリル５８ＢＡから、副吸込ダクト５７ＢＡを通して他室の空気が換気ファン５２で吸い込まれ、排気ダクト５７ＥＡを通して屋外グリル５８ＥＡから屋外に排気される。
【００８４】
乾燥モードでは、ヒータ５０Ｈに通電すると共に、循環ファンモータ５１Ｍを駆動する。また、ダンパ３を開位置に移動させて換気吸込口５５ＥＡを開き、換気ファンモータ５２Ｍを駆動する。
【００８５】
これにより、フロントパネル５６の吸込口グリル５６ａから、浴室１００の空気が循環ファン５１で吸い込まれ、循環ファン５１で吸い込まれた空気がヒータ５０Ｈで加熱されて、フロントパネル５６の吹出口グリル５６ｂから、浴室１００に温風が吹き出される。
【００８６】
また、フロントパネル５６の吸込口グリル５６ａから、浴室１００の空気が換気ファン５２で吸い込まれ、排気ダクト５７ＥＡを通して屋外グリル５８ＥＡから屋外に排気される。更に、洗面脱衣室１１０に設置した副吸込グリル５８ＢＡから、副吸込ダクト５７ＢＡを通して他室の空気が換気ファン５２で吸い込まれ、排気ダクト５７ＥＡを通して屋外グリル５８ＥＡから屋外に排気される。
【００８７】
涼風モードでは、ヒータ５０Ｈに通電せずに、循環ファンモータ５１Ｍを駆動する。また、ダンパ３を開位置に移動させて換気吸込口５５ＥＡを開き、換気ファンモータ５２Ｍを駆動する。
【００８８】
これにより、フロントパネル５６の吸込口グリル５６ａから浴室１００の空気が循環ファン５１で吸い込まれ、循環ファン５１で吸い込まれた空気が、フロントパネル５６の吹出口グリル５６ｂから浴室１００に吹き出される。
【００８９】
また、フロントパネル５６の吸込口グリル５６ａから、浴室１００の空気が換気ファン５２で吸い込まれ、排気ダクト５７ＥＡを通して屋外グリル５８ＥＡから屋外に排気される。更に、洗面脱衣室１１０に設置した副吸込グリル５８ＢＡから、副吸込ダクト５７ＢＡを通して他室の空気が換気ファン５２で吸い込まれ、排気ダクト５７ＥＡを通して屋外グリル５８ＥＡから屋外に排気される。
【００９０】
さて、換気モード、乾燥モード及び涼風モードでは、ダンパ３を開位置に移動させて換気吸込口５５ＥＡを開くことで、浴室１００内の空気が換気吸込口５５ＥＡから吸い込まれる。浴室１００や洗面脱衣室１１０で、入浴剤やヘアスプレー等が使用された場合、その成分を含む空気が換気吸込口５５ＥＡから吸い込まれる。
【００９１】
風量調整装置１Ａは、図１等で説明したように、ダンパ３のストッパを、換気吸込口５５ＥＡである吸込口２Ａとは独立した空間である実装部１２に設けたダンパギア４２の突き当て部４３と突き当て突部１５を当接させる構成で実現している。
【００９２】
これにより、空気が通る換気吸込口５５ＥＡの内部で、ダンパ３との接触箇所が無くなり、暖房モード等でダンパ３を閉位置に移動させて換気吸込口５５ＥＡが閉じた場合の、ダンパ３の固着を防止できる。
【００９３】
また、風路形成枠部１１Ａの内面に、ダンパ３の先端部３１の軌跡に沿った曲面で構成される気密性保持部２０を備えることで、ダンパ３を所定の位置である閉位置に移動させた状態では、ダンパ３の先端部３１と風路形成枠部１１との隙間が、所定の許容隙間に収まる。
【００９４】
これにより、換気吸込口５５ＥＡを通る空気の量が所定の許容風量に抑えられ、閉位置に移動させたダンパ３と、換気吸込口５５ＥＡとの間の気密性が所定の状態で保持される。
【００９５】
ここで、ダンパ３の閉位置とは、ダンパ３が完全に閉じて空気の出入りが無いという位置のみならず、多少の空気の出入りがあるものも含むものである。ダンパ３を閉位置に移動させた状態で、換気吸込口５５ＥＡを通る空気の量が所定の許容風量に抑えられることで、暖房モードにおいては、浴室１００から外部へ排気される風量が、入浴者が寒さを感じない程度に抑えられる。
【産業上の利用可能性】
【００９６】
本発明は、空気の吸込口に開閉可能なダンパを備え、かつ、吸い込まれる空気中に粘着性や固着性のある成分が含まれるような場所に設置される換気装置に適用される。
【符号の説明】
【００９７】
１Ａ、１Ｂ・・・風量調整装置、１０Ａ・・・ダンパフレーム、１１Ａ・・・風路形成枠部、１２Ａ・・・実装部、１５・・・突き当て突部、２Ａ・・・吸込口、２０・・・気密性保持部、３・・・ダンパ、３０・・・軸、４Ａ・・・ダンパ駆動部、４２・・・ダンパギア、４３・・・突き当て部
【図１】
2011237104.tif 000003
【図２】
2011237104.tif 000004
【図３】
2011237104.tif 000005
【図４】
2011237104.tif 000006
【図５】
2011237104.tif 000007
【図６】
2011237104.tif 000008
【図７】
2011237104.tif 000009